(57)【要約】【課題】容易に液状体を均一に吐出できる液状体の吐出方法およびその吐出装置、ならびに光学部材の製造方法を提供すること。【解決手段】流動性を有した液状体を吐出する被吐出物１の被吐出面について、液状体を吐出する方向における被吐出面の位置や被吐出面の表面形状を認識し、被吐出面の位置や表面形状に基づいて、液状体を吐出する複数のノズルが設けられた液滴吐出ヘッド３０を、被吐出面と所定の間隙を介して対向した状態で、被吐出物１と相対的に移動させ、複数の液滴吐出ヘッド３０の各ノズルから液状体を、被吐出面の所定の範囲に吐出する。従って、被吐出物１の表面曲率等に応じて液状体を吐出することができ、被吐出物１の表面に対して均一に液状体を吐出できる。【選択図】図２
2008170967.tif 000002
【特許請求の範囲】
【請求項１】
流動性を有した液状体を曲面状の被吐出面を有した被吐出物に吐出する複数のノズルが設けられた液滴吐出ヘッドと、
この液滴吐出ヘッドおよび前記被吐出物のうちの少なくともいずれか一方を相対的に移動させる移動手段と、
前記被吐出物の外郭を認識し、この外郭に基づいて、前記液滴吐出ヘッドの吐出および前記移動手段による移動のうちの少なくともいずれか一方を制御する制御手段とを備え、
前記制御手段は、前記被吐出物を撮像した撮像データに基づいて前記被吐出物の被吐出面の位置および表面形状のうちの少なくともいずれか一方を認識し、前記被吐出物の外周付近における前記液状体の吐出量が中央部における吐出量よりも多くなるように制御する
ことを特徴とする吐出装置。
【請求項２】
請求項１に記載の吐出装置において、
前記制御手段は、前記液滴吐出ヘッドおよび前記被吐出物の対向方向における距離の大きさに基づいて、前記液滴吐出ヘッドの吐出を制御する
ことを特徴とする吐出装置。
【請求項３】
請求項１または請求項２に記載の吐出装置において、
前記制御手段は、前記撮像データにて認識した前記被吐出面の前記位置および前記表面形状のうちの少なくともいずれか一方に基づき、画像処理によって、前記液滴吐出ヘッドから吐出する前記液状体の吐出量を決定する画像処理手段を備える
ことを特徴とする吐出装置。
【請求項４】
請求項１ないし請求項３のいずれかに記載の吐出装置において、
前記被吐出物は光学素子であり、
この光学素子の曲面状の表面に前記液状体を吐出して膜を形成する
ことを特徴とする吐出装置。
【請求項５】
流動性を有した液状体が吐出される被吐出物を撮像した撮像データに基づいて前記被吐出物の曲面状の被吐出面の位置および表面形状のうちの少なくともいずれか一方を認識し、
前記被吐出面の前記位置および前記表面形状のうちの少なくともいずれか一方に基づいて、前記液状体を吐出する複数のノズルが設けられた液滴吐出ヘッドを、前記被吐出面と所定の間隙を介して対向した状態で、前記被吐出物と相対的に移動させ、
前記被吐出物の外周付近における吐出量が中央部における吐出量よりも多くなるように、前記複数の液滴吐出ヘッドの各ノズルから前記液状体を前記被吐出面の所定の範囲に吐出する
ことを特徴とする液状体の吐出方法。
【請求項６】
請求項５に記載の液状体の吐出方法において、
前記液滴吐出ヘッドおよび前記被吐出面の対向方向における距離の大きさに基づいて、前記液滴吐出ヘッドからの前記液状体の吐出を制御して、前記液状体を吐出する
ことを特徴とする液状体の吐出方法。
【請求項７】
曲面状の被吐出面を有した光学素子の表面に流動性を有する液状体を吐出することにより膜を形成する光学部材の製造方法であって、
前記光学素子を撮像した撮像データに基づいて前記光学素子の被吐出面の位置および表面形状のうちの少なくともいずれか一方を認識し、
前記被吐出面の前記位置および前記表面形状のうちの少なくともいずれか一方に基づいて、前記液状体を吐出する複数のノズルが設けられた液滴吐出ヘッドを、前記被吐出面と所定の間隙を介して対向した状態で、前記光学素子と相対的に移動させ、
前記光学素子の外周付近における吐出量が中央部における吐出量よりも多くなるように、前記複数の液滴吐出ヘッドの各ノズルから前記液状体を前記被吐出面の所定の範囲に吐出する
ことを特徴とする光学部材の製造方法。
【請求項８】
請求項７に記載の光学部材の製造方法において、
前記撮像データにて認識した前記被吐出面の前記位置および前記表面形状のうちの少なくともいずれか一方に基づいて、画像処理によって前記液滴吐出ヘッドから吐出する前記液状体の吐出量が決定される
ことを特徴とする光学部材の製造方法。
【発明の詳細な説明】
【技術分野】
【０００１】
本発明は、流動性を有した液状体を被吐出物に吐出する吐出装置、液状体の吐出方法、ならびに光学素子の表面に液状体を吐出して膜を形成する光学部材の製造方法に関する。
【背景技術】
【０００２】
従来、例えば眼鏡に用いられるレンズ等の光学素子には、その表面に硬化膜や反射防止膜等を形成する表面処理が施されている。この表面処理の方法として、スピンコーティング法やディッピング（浸漬）法が知られている。
【０００３】
スピンコーティング法では、光学素子の表面に硬化膜の原料としてのハードコート液等を滴下し、光学素子を高速回転させる。この回転により、ハードコート液等が光学素子の表面全体に薄く広がって、膜状に塗布され、表面硬化膜が形成される。
しかし、スピンコーティング法では、光学素子の表面に滴下したハードコート液等の大半が周囲に飛散することになる。この飛散したハードコート液等には、ほこり等の不純物が混入するため、飛散したハードコート液等を回収し、不純物除去の後、再利用するには装置が複雑化する。従って、ハードコート液等の再利用は困難である。
【０００４】
また、ディッピング法では、光学素子を治具で保持し、容器に入ったハードコート液等に浸けた後、引き上げる。これにより、光学素子の表面にハードコート液等が付着、塗布され、表面硬化膜が形成される。
しかし、ディッピング法では、予め、容器内に大量のハードコート液等を用意しておく必要がある。また、容器内のハードコート液等は、光学素子の浸漬を繰り返すに従って、粘度等の特性が経時変化し、徐々に劣化する。従って、表面硬化膜の品質を維持するために、所定の期間でハードコート液等を処分し、入れ替えなければならない。
【０００５】
従って、スピンコーティング法やディッピング法では、光学素子の表面処理に用いられるハードコート液等が大量に廃棄される。さらに、廃棄の際の無害化処理等をも必要とする。このため原料の利用効率が悪く、光学素子の表面処理工程における省エネルギー化および、コスト低減の阻害要因となっている。
【０００６】
このような表面処理に係る原料の無駄を解消するものとして、本出願人が先に開発した技術が提案されている（特許文献１参照）。同文献に開示された技術は、ハードコート液等の液状体を液滴吐出ヘッドのノズルから吐出し、光学素子の表面に塗布することによって、光学素子に表面処理を施すものである。すなわち、いわゆるインクジェット法によって光学素子の表面処理を実施しようとするものである。
【０００７】
インクジェット法による光学素子の表面処理では、光学素子の表面に必要な量のハードコート液等を吐出し、被膜状に塗布する。これによって、ハードコート液等の利用効率を高めることができるので、表面処理工程における省エネルギー化および、コスト低減を期待できる。また、インクジェット法で使用する液滴吐出ヘッドや、この液滴吐出ヘッドを駆動する駆動装置、制御装置等は、既存のプリンタ等で使用される機器を改良するだけで、表面処理装置に流用することができる。
【０００８】
【特許文献１】特開２００１−３２７９０８号公報
【発明の開示】
【発明が解決しようとする課題】
【０００９】
しかしながら、上述した公報における従来技術では、形状や表面曲率が異なる光学素子ごとにハードコート液等の吐出量を表面曲率等に応じて制御することができない。
【００１０】
すなわち、光学素子の中でも特に、眼鏡用のレンズにあっては、その使用者の視力によってレンズの厚さ寸法や表面曲率が異なる。また、例えば累進焦点型レンズでは、表面処理前のレンズの外形状が真円でなく、さらに、使用者の視力によって１枚のレンズ中で部分的に表面曲率が変化する。従って、従来の技術におけるインクジェット法では、外形状や表面曲率が異なる個々のレンズに対して適切な吐出量を制御することが困難で、均一な厚さ寸法の被膜を形成するのが困難である。
【００１１】
そこで、個々に異なる外形状や表面曲率を有するレンズごとに、それらを設定値としてデータベース化しておく方法が考えられる。そして、表面処理工程の前工程としてデータベースからレンズごとの設定値を読み出し、この設定値に基づいて被膜の厚さ寸法が均一となるように吐出量等を決めた後、表面処理工程を実行する。しかしながら、前述のように眼鏡用のレンズでは、その使用者ごとに形状が異なるので、データベース化の作業が膨大になるとともに、データベースの管理および読み出し作業にも多大な労力を要するという問題がある。
【００１２】
本発明の目的は、このような問題に鑑みて、容易に液状体を均一に吐出できる液状体の吐出方法およびその吐出装置、ならびに光学素子の製造方法を提供することにある。
【課題を解決するための手段】
【００１３】
本発明の吐出装置は、流動性を有した液状体を曲面状の被吐出面を有した被吐出物に吐出する複数のノズルが設けられた液滴吐出ヘッドと、この液滴吐出ヘッドおよび前記被吐出物のうちの少なくともいずれか一方を相対的に移動させる移動手段と、前記被吐出物の外郭を認識し、この外郭に基づいて、前記液滴吐出ヘッドの吐出および前記移動手段による移動のうちの少なくともいずれか一方を制御する制御手段とを備え、前記制御手段は、前記被吐出物を撮像した撮像データに基づいて前記被吐出物の被吐出面の位置および表面形状のうちの少なくともいずれか一方を認識し、前記被吐出物の外周付近における前記液状体の吐出量が中央部における吐出量よりも多くなるように制御することを特徴とするものである。
【００１４】
このような構成の本発明においては、被吐出物の外郭を認識し、この外郭に基づいて液滴吐出ヘッドから液状体を吐出することによって、被吐出物の形状に応じて液状体の吐出を制御することができ、被吐出物の表面に対して均一に液状体を吐出できる。
さらに、被吐出物の撮像データにより被吐出面の位置や表面形状を認識することによって、被吐出物の形状を確実に認識することができる。そして、被吐出面の位置や表面形状を認識し、この位置や表面形状に基づいて液滴吐出ヘッドから液状体を吐出することによって、被吐出物の表面曲率等に応じて液状体を吐出することができ、液状体の利用効率を高め、被吐出物の表面処理作業のコスト低減を図ることができる。
【００１５】
また、本発明では、前記制御手段は、前記液滴吐出ヘッドおよび前記被吐出物の対向方向における距離の大きさに基づいて、前記液滴吐出ヘッドの吐出を制御することが好ましい。
この構成により、液滴吐出ヘッドと被吐出物との距離応じ、液状体の吐出量を制御することによって、被吐出物の表面が曲面状になっている場合においても、被吐出物の表面に対して均一に液状体を吐出できる。すなわち、液滴吐出ヘッドと被吐出物との間が離れている被吐出物の外周付近においては、液状体が飛散する量が多くなるため、吐出量が多くなるように吐出を制御することで、被吐出面において液状体で形成される膜厚が均一にできる。
【００１６】
そして、本発明では、前記制御手段は、前記撮像データにて認識した前記被吐出面の前記位置および前記表面形状のうちの少なくともいずれか一方に基づき、画像処理によって、前記液滴吐出ヘッドから吐出する前記液状体の吐出量を決定する画像処理手段を備えることが好ましい。
この構成により、被吐出面の位置や表面形状に基づいて画像処理を実施することによって、個々に異なる被吐出物の形状や表面曲率を画像認識し、被吐出物ごとに適切な量の液状体を吐出することができ、被吐出物の表面処理精度をより高めることができる。
【００１７】
また、本発明では、前記被吐出物は光学素子であり、この光学素子の曲面状の表面に前記液状体を吐出して膜を形成することが好ましい。
この構成により、光学素子の外郭を認識し、この外郭に基づいて液滴吐出ヘッドから液状体を吐出することによって、光学素子の形状に応じて液状体を吐出することができ、液状体の利用効率を十分に高め、光学素子の表面処理作業のコスト低減を図ることができる。
【００１８】
本発明の液状体の吐出方法は、流動性を有した液状体が吐出される被吐出物を撮像した撮像データに基づいて前記被吐出物の曲面状の被吐出面の位置および表面形状のうちの少なくともいずれか一方を認識し、前記被吐出面の前記位置および前記表面形状のうちの少なくともいずれか一方に基づいて、前記液状体を吐出する複数のノズルが設けられた液滴吐出ヘッドを、前記被吐出面と所定の間隙を介して対向した状態で、前記被吐出物と相対的に移動させ、前記被吐出物の外周付近における吐出量が中央部における吐出量よりも多くなるように、前記複数の液滴吐出ヘッドの各ノズルから前記液状体を前記被吐出面の所定の範囲に吐出することを特徴とするものである。
【００１９】
このような構成の本発明においては、被吐出物の被吐出面の位置や表面形状を認識した上で、この位置や表面形状に基づいて液滴吐出ヘッドから液状体を吐出することによって、被吐出物の表面曲率等に応じて液状体を吐出することができ、被吐出物の表面に対して均一に液状体を吐出できる。また、被吐出物の撮像データにより被吐出面の位置や表面形状を認識することによって、被吐出物の形状を確実に認識することができる。
【００２０】
そして、本発明では、前記液滴吐出ヘッドおよび前記被吐出面の対向方向における距離の大きさに基づいて、前記液滴吐出ヘッドからの前記液状体の吐出を制御して、前記液状体を吐出することが好ましい。
この構成により、液滴吐出ヘッドと被吐出物との距離応じ、液状体の吐出量を制御することによって、被吐出物の表面が曲面状になっている場合においても、被吐出物の表面に対して均一に液状体を吐出できる。
【００２１】
本発明の光学部材の製造方法は、曲面状の被吐出面を有した光学素子の表面に流動性を有する液状体を吐出することにより膜を形成する光学部材の製造方法であって、前記液状体を吐出する前記光学素子を撮像した撮像データに基づいて前記光学素子の所定の表面としての被吐出面の位置および表面形状のうちの少なくともいずれか一方を認識し、前記被吐出面の前記位置および前記表面形状のうちの少なくともいずれか一方に基づいて、前記液状体を吐出する複数のノズルが設けられた液滴吐出ヘッドを、前記被吐出面と所定の間隙を介して対向した状態で、前記光学素子と相対的に移動させ、前記光学素子の外周付近における吐出量が中央部における吐出量よりも多くなるように、前記複数の液滴吐出ヘッドの各ノズルから前記液状体を前記被吐出面の所定の範囲に吐出することを特徴とするものである。
【００２２】
このような構成の本発明においては、光学素子の被吐出面の位置や表面形状を認識した上で、この位置や表面形状に基づいて液滴吐出ヘッドから液状体を吐出することによって、光学素子の表面曲率等に応じて液状体を吐出することができ、被吐出物の表面に対して均一に液状体を吐出できる。ここで、前記光学素子は、眼鏡用のレンズであることが好ましい。
【００２３】
そして、本発明では、前記撮像データにて認識した前記被吐出面の前記位置および前記表面形状のうちの少なくともいずれか一方に基づいて、画像処理によって前記液滴吐出ヘッドから吐出する前記液状体の吐出量が決定されることが好ましい。
この構成により、被吐出面の位置や表面形状に基づいて画像処理を実施することによって、個々に異なる光学素子の形状や表面曲率を画像認識し、光学素子ごとに適切な量の液状体を吐出することができ、光学部材の表面処理精度をより高めることができる。
【発明を実施するための最良の形態】
【００２４】
以下に本発明の好適な実施形態を挙げ、図面に基づいて詳しく説明する。
図１および図２には、本発明の一実施形態に係る光学部材の表面処理装置を構成する液滴吐出装置１０が示されている。この液滴吐出装置１０は、液状体を液滴として被吐出物としての眼鏡用のレンズ１表面に吐出して、被膜状に塗布するための装置である。光学部材の表面処理装置には、液滴吐出装置１０の他に、図示しない光学部材搬送装置や液滴吐出装置１０への光学部材供給装置、被膜状に塗布された液状体を光学部材の表面に固着するための熱処理装置等が含まれる。
【００２５】
なお、液状体としては、レンズ１の表面硬化膜を形成するハードコート液２や、反射防止膜を形成する原料の溶液、染色するための染料や顔料を含んだ溶液等が適用できる。また、被吐出物としては、光学素子としての眼鏡用やその他の光学機器用のレンズが適用できる。ここでは、眼鏡用のレンズ１にハードコート液２を液滴３として吐出し、皮膜状に塗布する場合について説明する。
【００２６】
図１において、液滴吐出装置１０は、インクジェットヘッド３０を備えたヘッドユニット３１と、ヘッド位置制御装置１１と、レンズ位置制御装置１２と、主走査駆動装置１３と、副走査駆動装置１４と、撮像装置４０と、そしてコントロール装置３５とを有する。
これらの各装置のうち、ヘッド位置制御装置１１、レンズ位置制御装置１２、主走査駆動装置１３、副走査駆動装置１４、そして撮像装置４０はベース９の上に設置される。また、これらの各装置は必要に応じてカバー８によって覆われる。
【００２７】
ヘッドユニット３１は、ヘッド位置制御装置１１に支持され、このヘッドユニット３１には、複数のインクジェットヘッド３０が取り付けられている。
インクジェットヘッド３０は、ヘッドユニット３１内の図示しない保持手段としてのキャリッジに保持されている。このキャリッジは、インクジェットヘッド３０を保持すべき位置にインクジェットヘッド３０よりも少し大きい穴すなわち複数の凹部を有している。そして、インクジェットヘッド３０はこれらのキャリッジの凹部に装着されて、保持される。さらに、インクジェットヘッド３０は、ネジ、接着剤その他の締結手段などの組み合わせによって固定される。なお、キャリッジに対するインクジェットヘッド３０の位置が正確に決められる場合には、特別な締結手段を用いることなく、単なる圧入によってインクジェットヘッド３０を固定しても良い。
【００２８】
インクジェットヘッド３０は、複数のノズル３２を列状に並べることによって形成された図示しないノズル列を有する。これらのノズル３２の孔径は例えば２８μｍであり、ノズル列の１列当たりのノズル３２の数は例えば１８０個で、ノズル３２間のノズルピッチは例えば１４１μｍである。
インクジェットヘッド３０は、その内部構造として、図示しない例えばステンレス製のノズルプレートや、それに対向する振動板、それらを互いに接合する複数の仕切部材、仕切部材によって仕切られた複数のインク室、液溜り等を備える。振動板には図示しない圧電素子が取り付けられており、圧電素子への通電を制御することによって、振動板を所定の振動数で振動させる。そして、この振動に応じた間隔でノズル３２から所定の量の液滴３が吐出される。
【００２９】
主走査駆動装置１３によって、インクジェットヘッド３０は主走査方向Ｘへレンズ１に対して相対的に平行移動することによりレンズ１を主走査する。この主走査の間に、ハードコート液２を各インクジェットヘッド３０内の複数のノズル３２から選択的に吐出することにより、レンズ１の所定位置にハードコート液２を被膜状に塗布する。
【００３０】
また、副走査駆動装置１４によって、インクジェットヘッド３０は副走査方向Ｙへ所定距離だけ平行移動する。このように平行移動することにより、インクジェットヘッド３０による主走査位置を所定の間隔でずらすことができる。なお、平行移動する距離は、例えばノズル列の副走査方向Ｙ成分の長さ、若しくはそれよりも短いまたはそれよりも長い長さに任意に設定できる。
【００３１】
図２において、ヘッド位置制御装置１１は、インクジェットヘッド３０の位置を制御する装置である。ヘッド位置制御装置１１は、αモータ１５と、βモータ１６と、γモータ１７と、そしてＺモータ１８とを有する。
αモータ１５は、インクジェットヘッド３０を吐出方向と平行な軸線回りに回転させるものである。βモータ１６は、インクジェットヘッド３０を副走査方向Ｙと平行な軸線回りに揺動回転させるものである。γモータ１７は、インクジェットヘッド３０を主走査方向と平行な軸線回りに揺動回転させるものである。そして、Ｚモータ１８は、インクジェットヘッド３０を上下方向へ平行移動させるものである。
また、レンズ位置制御装置１２は、レンズ１を載せる治具４を固定するテーブル２０と、そのテーブル２０を矢印θのように面内回転させるθモータ１９とを有する。
【００３２】
主走査駆動装置１３は、インクジェットヘッド３０をレンズ１に対して主走査移動させる移動手段としての装置である。主走査駆動装置１３は、主走査方向Ｘへ延びるＸガイドレール２１と、パルス駆動されるリニアモータを内蔵したＸスライダ２２とを有する。Ｘスライダ２２は内蔵するリニアモータが作動するときにＸガイドレール２１に沿って主走査方向へ平行移動する。
【００３３】
また、副走査駆動装置１４は、インクジェットヘッド３０をレンズ１に対して副走査移動させる移動手段としての装置である。副走査駆動装置１４は、副走査方向Ｙへ延びるＹガイドレール２３と、パルス駆動されるリニアモータを内蔵したＹスライダ２４とを有する。Ｙスライダ２４は内蔵するリニアモータが作動するときにＹガイドレール２３に沿って副走査方向Ｙへ平行移動する。
【００３４】
Ｘスライダ２２やＹスライダ２４内においてパルス駆動されるリニアモータは、該モータに供給するパルス信号によって出力軸の回転角度制御を精細に実施できる。従って、Ｘスライダ２２に支持されたインクジェットヘッド３０の主走査方向Ｘ上の位置やテーブル２０の副走査方向Ｙ上の位置などを高精細に制御できる。なお、インクジェットヘッド３０やテーブル２０の位置制御はパルスモータを用いた位置制御に限られず、サーボモータを用いたフィードバック制御や、その他任意の制御方法によって実現することもできる。
【００３５】
図１に示した撮像装置４０は、副走査方向Ｙへ延びるＹガイドレール２３の上を移動するテーブル２０の側方に位置している。そして、撮像装置４０は、テーブル２０の上に設置されたレンズ１を、その側方から撮像するレンズ撮像カメラ４１を備える。このレンズ撮像カメラ４１は、テーブル２０が副走査駆動装置１４によって所定の観察位置にセットされた際、レンズ１の表面と略同一平面とレンズ撮像カメラ４１の光軸４２とが略平行になるように設置されている。
【００３６】
図３には、レンズ撮像カメラ４１とレンズ１とを示す、一部を断面した側面図が示されている。図３において、レンズ撮像カメラ４１は、光学系としての観察レンズ４３と、この観察レンズ４３によって結像される位置に電荷結合素子４４（Charge-Coupled Device，ＣＣＤ）とを備えている。このレンズ撮像カメラ４１によって、レンズ１の外郭１Ｂが撮像される。
【００３７】
レンズ１は、その直径寸法に合わせた４つの載置爪４Ａを備えた治具４に、被吐出面１Ａを図３中上方に向けて設置されている。レンズ１には、その側面の所定の位置に位置認識手段としてのマーキング１Ｃが施されている。また、図２に示したθモータ１９は、レンズ１を任意の方向から撮像するために、テーブル２０を矢印θのように面内回転させる。ここで、レンズ１を撮像する任意の方向とは、マーキング１Ｃによって位置決めした１つの方向でもよく、また、所定の角度（例えば、１０°）ごとに矢印θ方向にテーブル２０を面内回転させることによる複数の方向でもよい。
【００３８】
なお、撮像装置４０は、電荷結合素子４４を備えたレンズ撮像カメラ４１を備えるものに限られない。例えば、レーザー光線や音波、光波、赤外線等を用いた反射型センサ、あるいは透過型センサ等を、レンズ撮像カメラ４１に替えて適用することができる。また、カメラであっても、電荷結合素子４４を備えない、フィルム式のカメラや、その他任意のカメラを用いることができる。
【００３９】
図１に示したコントロール装置３５は、液滴吐出装置１０の全般の制御を司る制御手段としての装置である。コントロール装置３５は、プロセッサを収容したコンピュータ本体部３６と、入力装置３７としてのキーボードと、表示装置としてのＣＲＴ（Cathode-Ray Tube）ディスプレイ３８とを有する。上記プロセッサは、図４に示すように、演算処理を実施するＣＰＵ（Central Processing Unit）５１と、各種情報を記憶するメモリ５２すなわち情報記憶媒体とを有する。
【００４０】
図１に示したヘッド位置制御装置１１、レンズ位置制御装置１２、主走査駆動装置１３、副走査駆動装置１４、およびインクジェットヘッド３０内の圧電素子を駆動するヘッド駆動回路３３の各機器は、図４において、入出力インターフェース５３およびバス５４を介してＣＰＵ５１に接続される。また、入力装置３７、ＣＲＴディスプレイ３８、およびレンズ撮像カメラ４１の各機器も、入出力インターフェース５３およびバス５４を介してＣＰＵ５４に接続される。
【００４１】
情報記憶媒体としてのメモリ５２は、ＲＡＭ（Random Access Memory）、ＲＯＭ（Read Only Memory）などといった半導体メモリや、ハードディスク、ＣＤ−ＲＯＭ読取り装置、ディスク型記憶媒体などといった外部記憶装置などを含む概念である。図４において、メモリ５２には、プログラムソフトや、吐出位置データ、副走査量データ、吐出量データ、レンズ特性データ、塗布パターンデータ等を記憶する記憶領域が設定される。そして、ＣＰＵ５１のためのワークエリアやテンポラリファイルなどとして機能する領域や、その他各種の記憶領域もメモリ５２に設定される。
【００４２】
プログラムソフトの記憶領域には、液滴吐出装置１０の動作の制御手順が記述されたプログラムソフトが記憶されている。吐出量データの記憶領域には吐出位置が座標データとして記憶され、副走査量データの記憶領域には、副走査方向Ｙへのレンズ１の副走査移動量が記憶される。また、レンズ特性データの記憶領域には、レンズ１の被吐出面１Ａの焦点位置や切り出し範囲（図６（Ｂ）中符号１Ｄで示す）等、撮像装置４０では認識できないレンズ１の特性値がデータとして記憶される。
【００４３】
ＣＰＵ５１は、情報記憶媒体であるメモリ５２内に記憶されたプログラムソフトに従って、レンズ撮像カメラ４１を制御し、撮像したレンズ１の画像に基づいて画像処理を行ってレンズ１とインクジェットヘッド３０との間隙Ｌ１や吐出パターン等を決定する。そしてＣＰＵ５１は、決定された間隙Ｌ１や吐出パターンに従ってハードコート液２を吐出するための制御を実施するものである。また、ＣＰＵ５１は、具体的な機能実現部として、レンズ撮像カメラ４１で撮像したレンズ１の画像から画像認識や間隙Ｌ１、吐出パターン等決定するための演算を実施する画像処理演算部と、液滴吐出によってハードコート液２を被膜状に塗布するための演算を実施する塗布演算部とを有する。
【００４４】
図４において、画像処理演算部を詳しく分割すれば、観察制御演算部と、撮像制御演算部と、画像認識演算部と、画像パターン展開演算部といった各種の機能演算部を有する。
観察制御演算部は、テーブル２０を観察位置へセットするための演算を実施し、撮像制御演算部は、レンズ撮像カメラ４１でレンズ１を撮像するための制御を演算する。そして、画像認識演算部は、撮像されたレンズ１の画像から画像認識の演算を実施し、画像パターン展開演算部は、画像認識された画像に基づいてレンズ１とインクジェットヘッド３０との間隙Ｌ１や吐出パターン等を決定するための演算を実施する。
【００４５】
塗布演算部を詳しく分割すれば、塗布開始位置演算部と、主走査制御演算部と、副走査制御演算部と、ノズル吐出制御演算部といった各種の機能演算部を有する。
塗布開始位置演算部は、インクジェットヘッド３０を塗布のための初期位置へセットするための演算を実施する。主走査制御演算部は、インクジェットヘッド３０を主走査方向Ｘへ所定の速度で走査移動させるための制御を演算し、副走査制御演算部は、レンズ１を副走査方向Ｙへ所定の副走査量だけずらすための制御を演算する。そして、ノズル吐出制御演算部は、インクジェットヘッド３０内の複数のノズル３２のうちのいずれを作動させてハードコート液２を吐出するかを制御するための演算を実施する。
【００４６】
なお、本実施の形態では、上記の各機能をＣＰＵ５１を用いてソフト的に実現することにしたが、上記の各機能がＣＰＵ５１を用いない単独の電子回路によって実現できる場合には、そのような電子回路を用いることも可能である。
【００４７】
以下、上記構成からなる液滴吐出装置１０の動作を図５に示すフローチャートに基づいて説明する。
図５において、液滴吐出装置１０の動作は、主に画像処理工程と塗布工程との二段階の工程から構成されている。
【００４８】
オペレータによる電源投入によって液滴吐出装置１０が作動すると、まず、ステップＳ１において初期設定が実現される。具体的には、ヘッドユニット３１やコントロール装置３５などがあらかじめ決められた初期状態にセットされる。
ステップＳ２において図示しないレンズ供給装置によってレンズ１をテーブル２０上の治具４にセットする。
【００４９】
次に、画像処理工程として、レンズ１のセットされたテーブル２０をレンズ撮像カメラ４１の直下の観察位置へ移動する（ステップＳ３）。レンズ撮像カメラ４１およびθモータ１９を制御しながらレンズ１を撮像し、マーキング１Ｃの位置を認識する。このマーキング１Ｃの位置に基づいて、図２のθモータ１９の出力軸を微小角度単位で回転させることにより、テーブル２０を微小角度単位で面内回転させてレンズ１を位置決めする（ステップＳ４）。再度、レンズ撮像カメラ４１によってレンズ１を撮像し、レンズ撮像カメラ４１の電荷結合素子４４で捉えたレンズ１の撮像データから演算によってレンズ１の外郭１Ｂを画像認識する（ステップＳ５）。この際、θモータ１９を所定の角度ごとに回転させて、複数の方向からレンズ撮像カメラ４１によってレンズ１を撮像することによって、レンズ１の外郭１Ｂを３次元的に認識することができる。
【００５０】
ステップＳ６において、ステップＳ５で画像認識されたレンズ１の画像に基づいて、演算により画像パターン展開する。具体的には、図６（Ａ）に示すレンズ１の画像を模式的に表した側面図のように、レンズ１の高さ方向の寸法Ｈ１，Ｈ２、すなわち、被吐出面１Ａの位置と、レンズ１の被吐出面１Ａの表面形状とを認識する。次に、認識したレンズ１の形状、あるいは、予め入力されたレンズ特性データに基づいて、ハードコート液２を吐出し、被膜状に塗布する塗布範囲を決定する（ステップＳ７）。この際、図６（Ｂ）で二点鎖線で示される眼鏡用のレンズとして切り出す範囲１Ｄを、レンズ特性データとして入力しておくことで、この範囲１Ｄを塗布範囲とすることができる。
【００５１】
ステップＳ８において、図６（Ｂ）に示すインクジェットヘッド３０の走査を模式的に表した平面図における、インクジェットヘッド３０の主走査方向Ｘへの主走査の間にハードコート液２を吐出し、被膜状に塗布する塗布パターンを決定する。この塗布パターンには、以下に示す３種類のインクジェットヘッド３０の動作があり、適宜塗布パターンを選択することができる。
【００５２】
図７に第１の塗布パターンを模式的に表す断面図を示す。図７において、インクジェットヘッド３０は、被吐出面１Ａの表面形状に沿って主走査動作する。すなわち、被吐出面１Ａとインクジェットヘッド３０の複数のノズル３２が設けられた面とは、一定の間隙Ｌ１を介して対向している。さらに、インクジェットヘッド３０は、ハードコート液２の液滴３の吐出方向を、レンズ１の被吐出面１Ａに略直交させて、主走査動作する。なお、インクジェットヘッド３０と被吐出面１Ａとの間隙Ｌ１は、０．２ｍｍ〜０．３ｍｍとすることが望ましいが、１５ｍｍ程度までの範囲であれば、吐出された液滴３を被膜状に塗布する上で問題がない。しかし、インクジェットヘッド３０と被吐出面１Ａとの間の距離が大きくなると、吐出された液滴３のうち、被吐出面１Ａの外に飛散する量が多くなり、実質的に吐出量が減ってしまうという不都合が生じる。
【００５３】
次に、図８に第２の塗布パターンを模式的に表す断面図を示す。図８において、インクジェットヘッド３０は、被吐出面１Ａと対向する略平面上を主走査動作する。すなわち、被吐出面１Ａとインクジェットヘッド３０の複数のノズル３２が設けられた面とは、レンズ１の位置によって、間隙Ｌ１，Ｌ２が異なる。また、インクジェットヘッド３０は、ハードコート液２の液滴３の吐出方向を、図８中下方に向けた状態で、主走査動作する。
【００５４】
さらに、図９に第３の塗布パターンを模式的に表す断面図を示す。図９において、インクジェットヘッド３０は、被吐出面１Ａの表面形状に沿って主走査動作する。しかし、前述の第１の塗布パターンと異なり、インクジェットヘッド３０は、ハードコート液２の液滴３の吐出方向を、図９中下方に向けた状態で、主走査動作する。
【００５５】
以上により塗布パターンを決定し、画像処理工程が終了した後、塗布工程が行われる。図５のステップＳ９でインクジェットヘッド３０によって塗布を開始する位置を演算によって決定する。そして、主走査駆動装置１３および副走査駆動装置１４を適宜に作動させて、インクジェットヘッド３０を図６（Ｂ）に示す塗布開始位置Ａへ移動する（ステップＳ１０）。
【００５６】
ステップＳ１０でインクジェットヘッド３０が塗布開始位置Ａに置かれると、その後、ステップＳ１１で主走査方向Ｘへの１ラインＢ分の主走査が開始される。具体的には、図２の主走査駆動装置１３が作動してインクジェットヘッド３０が主走査方向Ｘへ一定の速度で直線的に走査移動する。その移動中、ハードコート液２を塗布すべきレンズ１の塗布範囲に、対応するノズル３２が到達したときに、そのノズル３２からハードコート液２が吐出される。すなわち、インクジェットヘッド３０内の前記振動板（図示せず）に取り付けられた前記圧電素子（図示せず）への通電を前記ヘッド駆動回路３３で制御することにより、設定された塗布範囲にハードコート液２が吐出される。
【００５７】
この主走査におけるインクジェットヘッド３０からハードコート液２を吐出する吐出量は、前述の塗布パターンによって異なった制御が実施される。すなわち、図７の第１の塗布パターンにおいて、吐出されるハードコート液２の吐出量は主走査の間で一定となるように制御されている。図８および図９に示す第２および第３の塗布パターンにおいては、レンズ１の位置によって、吐出されるハードコート液２の吐出量が異なるように制御される。具体的には、インクジェットヘッド３０の複数のノズル３２が設けられた面と被吐出面１Ａとが大きな角度を有して対向する、レンズ１の外周付近では、吐出量が多くなるように制御されている。さらに、図８に示すようにインクジェットヘッド３０の複数のノズル３２が設けられた面と被吐出面１Ａとの間が離れている（間隙Ｌ２）場合には、ハードコート液２が飛散する量が多くなるため、吐出量が多くなるように制御されている。
【００５８】
図５のステップＳ１２で１ラインＢ分の主走査が終了すると（ステップＳ１２でＹＥＳ）インクジェットヘッド３０は、反転移動して初期の塗布開始位置Ａへ復帰する（ステップＳ１３）。そして、テーブル２０にセットされたレンズ１は、副走査駆動装置１４によって駆動されて副走査方向Ｙへあらかじめ決められた副走査量だけ移動し、２回目の塗布開始位置Ａ’にインクジェットヘッド３０が置かれる（ステップＳ１４）。そして次に、主走査およびハードコート液２の吐出が繰り返して行われて、レンズ１の塗布範囲全体に対するハードコート液２の塗布が終了する（ステップＳ１５）。
【００５９】
以上の塗布工程によって、インクジェットヘッド３０によるハードコート液２の塗布作業が完了すると（ステップＳ１５でＹＥＳ）、ステップＳ１６でレンズ１が、図示しないレンズ供給装置によって、処理後のレンズ１が外部へ排出される。その後、オペレータによって処理終了の指示がなされない限りステップＳ２へ戻って別のレンズ１に対するハードコート液２の塗布作業を繰り返す。
オペレータから作業終了の指示があると（ステップＳ１７でＹＥＳ）、塗布作業を終了する。
【００６０】
以上により、レンズ１の片側の面に対するハードコート液２の塗布が終了する。その後、必要に応じて、レンズの反対側の面に対しても、同様の手順でハードコート液２を塗布する。このようにしてハードコート液２が被膜状に塗布されたレンズ１に熱処理等を施して、ハードコート液２を硬化させることによって、レンズ１の表面に膜が形成された光学部材、具体的には眼鏡用のハードコートレンズが完成する。
【００６１】
このような本発明の実施形態によれば、次のような効果が得られる。
(１) 撮像装置４０によってレンズ１の外郭１Ｂが認識され、この外郭１Ｂに基づいてインクジェットヘッド３０からハードコート液２を吐出することによって、必要最小限の範囲にのみハードコート液２を被膜状に塗布することができ、ハードコート液２の利用効率を十分に高め、被吐出面１Ａに対して均一に液状体を吐出できる。
【００６２】
(２) レンズ１の画像に基づいて画像処理を行い、個々に異なるレンズ１の位置や表面形状を画像認識することによって、レンズ１ごとに適切な被吐出面１Ａとインクジェットヘッド３０との間隙Ｌ１を適切に決定することができる。
【００６３】
(３) レンズ１の画像に基づいて画像処理を行い、個々に異なるレンズ１の位置や表面形状を画像認識することによって、レンズ１ごとの表面形状に応じて適切な塗布パターンを選択することができ、レンズ１の表面処理の精度を向上できる。
【００６４】
(４) レンズ１の画像に基づいて画像処理を行い、レンズ１の位置や表面形状を画像認識することによって、個々に異なるレンズ１の形状データ等をデータベースとして管理する必要がなく、レンズ１の表面処理作業の効率化を図ることができる。
【００６５】
(５) 第１の塗布パターンによれば、レンズ１の表面形状に応じて、インクジェットヘッド３０が被吐出面１Ａに沿って移動するように制御することによって、ハードコート液２の吐出量の制御が容易になり、かつ、被吐出面１Ａに対して均一に液状体を吐出できる。
【００６６】
(６) 第２の塗布パターンによれば、レンズ１の表面形状に応じて、インクジェットヘッド３０と被吐出面１Ａとが対向する角度に応じたハードコート液２の吐出量を制御することによって、インクジェットヘッド３０の移動の制御が容易になり、かつ、被吐出面１Ａに対して均一に液状体を吐出できる。
【００６７】
(７) インクジェットヘッド３０と被吐出面１Ａとの間の距離に応じたハードコート液２の吐出量を制御することによって、レンズ１の表面処理精度をより高め、均一な膜厚のコーティングを施すことができる。
【００６８】
(８) レンズ１にマーキング１Ｃすることによって、レンズ１が眼鏡用レンズとして使用される際の上下左右の位置、方向を認識することができ、より精度良く塗布範囲や塗布パターンを決定し、レンズ１の表面にハードコート液２を効率よく吐出することができる。
【００６９】
(９) レンズ撮像カメラ４１によってレンズ１の形状が像として撮像され、電荷結合素子４４から電気信号として速やかにＣＰＵ５１の画像処理演算部へ送られるので、レンズ１の画像に基づく画像処理工程を迅速に実行することができる。
【００７０】
(10) メモリ５２に、レンズ１の焦点位置や外径、眼鏡用の切り出し範囲等の特性データを記憶しておき、この特性データに基づきハードコート液２の吐出量や塗布範囲等を制御することによって、レンズ１ごとに適切な量のハードコート液２を塗布することができ、レンズ１の表面処理精度を高めることができる。
【００７１】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００７２】
前述の実施形態において、被吐出物として、レンズ１の表面処理に関して説明を行ったが、これに限らず、本発明の液状体の吐出方法および吐出装置は、形状を認識し所定の吐出範囲に液状体を吐出できるものであれば、任意の物に適用できる。
また、前述の実施形態において、液滴吐出装置１０はレンズ１を１枚ずつ表面処理するものとしたが、これに限らず、複数枚のレンズを同時に処理するものでもよく、その際、複数のレンズのそれぞれについて、異なる吐出範囲や吐出量を設定することができる。
【００７３】
また、前述の実施形態において、液滴吐出装置１０は撮像装置４０を含んで構成されるものとしたが、これに限らず、レンズ認識装置は別体とすることができ、その際、レンズ認識装置と液滴吐出装置との間には、搬送装置を備えることで、画像処理工程と塗布工程とを連続的に実施することができる。
【００７４】
また、前述の実施形態において、撮像装置４０は、電荷結合素子４４を備えたレンズ撮像カメラ４１を含んで構成されるものとしたが、これに限らず、タッチセンサー等のレンズ１の外郭１Ｂを認識できるものを備えてもよい。
また、液滴吐出装置１０は、レンズ１の片側面の塗布が終了した後、レンズ１の表裏を反転させ、連続的に反対側の面の画像処理および塗布工程を実施するための、レンズ反転手段を備えたものとすることができる。さらに、レンズ１の表裏両面に同時に、あるいは、所定の時間間隔だけずらして塗布工程を実施することもできる。
【００７５】
また、インクジェットヘッド３０と被吐出面１Ａとの距離に応じてハードコート液２の吐出量を制御、あるいは、一定の吐出量でインクジェットヘッド３０の移動速度を制御する等により、被吐出面１Ａの単位面積当たりのハードコート液２の吐出量を一定に制御して、むらなく均一にハードコート液２を被膜状に塗布することができる。
【００７６】
また、前述の実施形態において、インクジェットヘッド３０の走査は、主走査方向Ｘに沿った１ラインＢ分の主走査を行った後、反転して初期位置に戻り、テーブル２０が副走査方向Ｙに所定の長さだけ移動し、再びインクジェットヘッド３０が主走査するものとしたが、これに限らず、１ライン分の主走査を行った後、反転せず副走査方向Ｙにテーブル２０が移動し、インクジェットヘッドが反転する方向に主走査を行いながら、液状体を吐出するものであってもよい。
また、インクジェットヘッド３０は、主走査１ラインＢ分のノズル列の長さ寸法を備えるものとしたが、これに限らず、レンズの副走査方向Ｙの長さ寸法と略同一、あるいは、それ以上の長さ寸法のノズル列を備えたものでもよく、また、副走査方向Ｙに複数のインクジェットヘッドを並列させたものでもよい。
【００７７】
また、前述の実施形態において、インクジェットヘッド３０は、主走査方向Ｘに沿って主走査を行うものとしたが、これに限らず、インクジェットヘッドが所定位置に固定され、レンズをセットしたテーブルが主走査移動し、その間にインクジェットヘッドから液状体が吐出され、１ライン分の主走査を行った後、インクジェットヘッドが副走査方向に所定の距離だけ移動し、再びテーブルが主走査移動するものであってもよい。
【図面の簡単な説明】
【００７８】
【図１】本発明に係る光学部材の表面処理装置の主要部分である液滴吐出装置の一実施の形態を示す斜視図である。
【図２】図１の装置の主要部を拡大して示す斜視図である。
【図３】レンズ撮像カメラとレンズを示す一部を断面した側面図である。
【図４】図１の装置に用いられる制御系を示すブロック図である。
【図５】図４の制御系によって実行される制御の流れを示すフローチャートである。
【図６】レンズの画像処理およびインクジェットヘッドの走査を模式的に示す側面図および平面図である。
【図７】第１の塗布パターンを模式的に示す断面図である。
【図８】第２の塗布パターンを模式的に示す断面図である。
【図９】第３の塗布パターンを模式的に示す断面図である。
【符号の説明】
【００７９】
１…レンズ（光学素子）、１Ａ…被吐出面、１Ｂ…外郭、２…ハードコート液（液状体）、１０…液滴吐出装置、１１…ヘッド位置制御装置（制御手段）、１２…レンズ位置制御装置（制御手段）、１３…主走査駆動装置（移動手段）、１４…副走査駆動装置（移動手段）、３０…インクジェットヘッド（液滴吐出ヘッド）、３２…ノズル、３３…ヘッド駆動回路（制御手段）、４０…撮像装置。
【図１】
2008170967.tif 000003
【図２】
2008170967.tif 000004
【図３】
2008170967.tif 000005
【図４】
2008170967.tif 000006
【図５】
2008170967.tif 000007
【図６】
2008170967.tif 000008
【図７】
2008170967.tif 000009
【図８】
2008170967.tif 000010
【図９】
2008170967.tif 000011